(57)【特許請求の範囲】
【請求項１】
一対の窓側枠部を備えて建物の居室に設けられる窓の窓面と、該窓面を視認可能な視認空間との間で該窓面に垂直又は略垂直に延在して設けられ、
前記居室には、前記窓面から前記居室側に離間した位置に、前記視認空間から前記居室内に向けての視線を制御するための基点となる視線制御基点が設定されており、該視線制御基点との関係で設置される目隠し装置であって、
前記視認空間から前記窓面に向けられる視線を制御し、前記視認空間から前記窓面の前部及び前記居室の一部を視認可能とする視線制御部が設けられ、
該視線制御部は、前記視認空間から前記居室内へ向かう視線のうち、前記一対の窓側枠部のうち前記視認空間から遠くに位置する第１の窓側枠部の内縁部と前記視線制御基点とを結ぶ線分である第１の仮想線に交差する視線のみを許容し、
前記視線制御部よりも視線透過度を高めて前記視認空間から前記窓面の前部及び前記居室の一部を視認可能とする視線非制御部が設けられ、
前記視線非制御部は、前記一対の窓側枠部において前記視認空間の近くに位置する第２の窓側枠部の外縁部と前記視線制御基点とを通る直線である第２の仮想線よりも前記窓面側に寄せた位置に配置され、
前記視線制御部は、前記窓面から見て前記視線非制御部よりも遠い位置に配置されて前記視線非制御部に連続しており、
前記居室において、
前記視線制御基点は、前記第２の仮想線よりも前記第２の窓側枠部側に室内洗濯物干し又は家具を配置した場合、前記室内洗濯物干し又は家具が前記視認空間から視認されないように設定されていることを特徴とする目隠し装置。
【請求項２】
前記視線制御部は、同一の断面形状を有する長尺な複数の縦格子部材を前記窓面に垂直又は略垂直な平面位置に並べることによって構成されることを特徴とする請求項１に記載の目隠し装置。
【請求項３】
それぞれの前記縦格子部材は、前記窓面に平行であって当該縦格子部材の奥行きを規定する一対の側面部を備え、
前記視線非制御部に近い位置に設置される第１の縦格子部材の前記側面部の側縁部と、当該第１の縦格子部材と隣り合うと共に前記視線非制御部から遠い位置に設置される第２の縦格子部材の前記側面部の側縁部とが互いに対向しており、
前記第１の縦格子部材と前記第２の縦格子部材との間の間隔は、前記第１の縦格子部材の前記窓面側の前記側縁部と前記第２の縦格子部材の前記視認空間側の前記側縁部とを結ぶ直線が前記第２の仮想線に平行となる状態に設定されていることを特徴とする請求項２に記載の目隠し装置。
【請求項４】
それぞれの前記縦格子部材は、前記窓面に平行であって当該縦格子部材の奥行きを規定する一対の側面部を備え、
前記視線非制御部に近い位置に設置される第１の縦格子部材の前記側面部の側縁部と、当該第１の縦格子部材と隣り合うと共に前記視線非制御部から遠い位置に設置される第２の縦格子部材の前記側面部の側縁部とが互いに対向しており、
前記第１の縦格子部材と前記第２の縦格子部材との間の間隔は、前記第１の縦格子部材の前記窓面側の前記側縁部と前記第２の縦格子部材の前記視認空間側の前記側縁部とを結ぶ直線が前記第２の仮想線に平行となる状態から、前記窓面から遠ざかるに従って段階的に大きくなるように設定されていることを特徴とする請求項２に記載の目隠し装置。
【請求項５】
各縦格子部材の幅を一定幅のＡとし、前記縦格子部材を前記窓面に近い位置から第１縦格子部材ｖ１、第２縦格子部材ｖ２…、第Ｎ＋１縦格子部材ｖＮ＋１とし、前記縦格子部材間の間隔を、前記窓面に近い位置から順に第１間隔Ｓ１、第２間隔Ｓ２…、第ｎ間隔Ｓｎとして設定する場合に、以下の式（Ａ）、式（Ｂ）及び式（Ｃ）の関係を有して設定されることを特徴とする請求項４記載の目隠し装置。
【数１】
0006001904.tif 000004
ただし、Δｓは定数とし、また、ｎ＝１〜Ｎ
【請求項６】
前記視線制御部と前記視線非制御部は、いずれか一方、あるいは両方が開閉自在となっていることを特徴とする請求項１〜５のいずれか一項に記載の目隠し装置。
【請求項７】
一対の窓側枠部を備えて居室に設けられる窓面と、該窓面を視認可能な視認空間との間で、同一の断面形状を有する長尺な複数の縦格子部材を前記窓面に垂直又は略垂直な平面位置に並べることによって構成され、
互いに隣り合う前記縦格子部材の間の間隔は、前記窓面から遠ざかるに従って、段階的に大きくなるように設定されていることを特徴とする目隠し装置。
【発明の詳細な説明】
【技術分野】
【０００１】
本発明は、建物の窓面と視認空間との間に配置される目隠し装置に関する。
【背景技術】
【０００２】
建物への不法侵入等を未然に防ぐための有効な手段として、自然監視性の確保がある。すなわち、対象とする住宅の防犯性を高めるといったハード面の性能向上のみではなく、近隣住民や建物の周辺を通行する人から建物や当該建物の各窓等への視認性を確保することで、不法侵入等に対する抑止力を得る点に着眼した考え方である。侵入犯の犯罪行動調査によれば建物内部へ侵入しようとしてあきらめた理由の６割が近隣の目を意識した場合を挙げている。かかる点にのみ着目する場合には、建物敷地と公道とを区画する生垣やフェンスなどの外構の視線透過度を高めればよく、例えば、このような生垣やフェンスを全く設置しない構成も考えられる。一方で、そのように公道から建物敷地に向けての視線透過度を高めてしまうと、それによって建物の窓等を介して建物内部（居室内部）が丸見えとなり、当該建物の住人のプライバシーが却って妨げられてしまうという問題を生じる。
【０００３】
かかる問題を解決すべく、例えば特許文献１には、複数枚の板状部材を左右方向に多数並べてルーバー状の遮光部を構成した門扉が開示されている。より具体的には、当該門扉は板状部材の奥行ｄを、相互に隣接する板状部材によって囲まれた間隙の幅ｗよりも大きく設定する。すなわち、ｄ≧ｗに設定することで、斜め前方の視線を遮断する。これにより、門扉の外側から、門扉本体を介して、門扉の内側が覗かれることを防止することができるとされており、当該構成を建物敷地と公道を区画する目隠しに用いることが考えられる。
【先行技術文献】
【特許文献】
【０００４】
【特許文献１】特開平０８−２８４５６９号公報
【発明の概要】
【発明が解決しようとする課題】
【０００５】
しかしながら、上記特許文献１の構成は、建物に設置される窓と位置関係に対して十分な配慮なく配置される門扉についての開示であるため、窓に対する門扉の配置によっては、侵入者の侵入口となる窓前への公道からの視線をそれほど得ることができないのみならず、他方で必要以上に窓を介して居室の奥方を視認できるような場合もあり、単にかかる門扉を設置するのみではプライバシーの確保と窓前部の見通しとを効果的に得ることができない虞があった。
【０００６】
本発明は、このような課題を解決するためになされたものであり、居室内のプライバシーの確保と、室外の窓前部の見通しの確保とを、両立することができる目隠し装置を提供することを目的とする。
【課題を解決するための手段】
【０００７】
本発明に係る目隠し装置は、一対の窓側枠部を備えて居室に設けられる窓の窓面と、該窓面を視認可能な視認空間との間で該窓面に垂直又は略垂直に延在して設けられる目隠し装置であって、同一の断面形状を有する長尺な複数の縦格子部材を並べることによって構成される視線制御部と、視線制御部よりも視線透過度を高めて、同一の断面形状を有する長尺な複数の縦格子部材を並べることによって構成される視線非制御部と、を備え、視線制御部は、窓面から見て視線非制御部よりも遠い位置に配置されて視線非制御部に連続していることを特徴とする。また、本発明に係る目隠し装置は、一対の窓側枠部を備えて居室に設けられる窓の窓面と、該窓面を視認可能な視認空間との間で該窓面に垂直又は略垂直に延在して設けられ、居室には、窓面から居室側に離間した位置に、視認空間から居室内に向けての視線を制御するための基点となる視線制御基点が設定されており、該視線制御基点との関係で設置される目隠し装置であって、視認空間から窓面に向けられる視線を制御し、視認空間から窓面の前部及び居室の一部を視認可能とする視線制御部が設けられ、該視線制御部は、視認空間から居室内へ向かう視線のうち、一対の窓側枠部のうち視認空間から遠くに位置する第１の窓側枠部の内縁部と視線制御基点とを結ぶ第１の仮想線に交差する視線のみを許容することを特徴とする。
【０００８】
本発明に係る目隠し装置には、視認空間から窓面に向けられる視線を制御し、視認空間から窓面の前部及び居室の一部を視認可能とする視線制御部が設けられている。また、この視線制御部は、視認空間から居室内へ向かう視線のうち、第１の窓側枠部の内縁部と視線制御基点とを結ぶ第１の仮想線に交差する視線のみを許容するように構成されている。このような構成により、視認空間を通過する通行人は、当該視線制御部を介して、窓面の前部を視認することができると共に、居室のうち、窓面付近に設定される第１の仮想線と視線が交差する範囲内の一部のみを視認することができる。すなわち、当該第１の仮想線と交差せずに居室の奥方へ向かう視線を規制することができる。ここで、通行人が視認できる居室の一部とは、居室内にて窓からの景色や通風を得ることができる一方、プライバシー上、視認空間等の外部からの視線を遮る必要がない室内部分（日常生活ではプライバシー上重要でない部分）である。このように居室内におけるプライバシーを考慮して視線制御基点を設定することによって、視線制御部は、視認空間からの視線を居室内におけるプライバシーを重視しない部分のみにとどめることができる。居室の住人は、当該視認空間からの視線を窓面の全部に得ることができ、さらには、当該視認空間からの視線をプライバシーを重要視しない居室の一部の領域までにとどめることができるものとなっている。以上によって、居室内のプライバシーの確保と、室外の窓前部の見通しの確保とを、両立することができる。
【０００９】
また、本発明に係る目隠し装置において、視線制御部よりも視線透過度を高めて視認空間から窓面の前部及び居室の一部を視認可能とする視線非制御部が設けられ、視線非制御部は、一対の窓側枠部において視認空間の近くに位置する第２の窓側枠部の外縁部と視線制御基点とを結ぶ第２の仮想線よりも窓面側に寄せた位置に配置され、視線制御部は、窓面から見て視線非制御部よりも遠い位置に配置されて視線非制御部に連続していることが好ましい。すなわち、窓面に近い位置に視線非制御部が設けられ、窓面から見て視線非制御部よりも遠い位置に配置されて視線非制御部に連続して視線制御部が設けられている。比較的窓から遠い位置においては、当該窓面に向かう視線と窓面との角度が大きなものとなり、その分、視認空間から居室の奥方に向けての視線を通しやすい位置関係となっている。ここでは、当該領域を視線制御部とすることにより、視線制御基点から奥方への視線を制御し、これによって、当該窓面から遠い位置であっても、居室の住人は、当該視認空間からの視線を窓面の前部に得ることができ、更には、当該視認空間からの視線を、居室内のうちプライバシーを重要視しない部分にとどめることができる。一方、窓面に近い位置、具体的には、視線制御基点と第２の窓側枠部の外縁部とを結ぶ第２の仮想線よりも窓面側の領域からの視線は、特に視線の制御を行わなくとも視線制御基点よりも奥方へ視線が通過することがなく（すなわち、プライバシー上問題となりうる視線が全て第２の窓側枠部に遮られるため、第１の仮想線と交差する視線のみが居室内へ入ることができる）、結果的に居室内のうちのプライバシーを重要視しない部分にとどまる。このように、視線制御を行うまでもなくプライバシーを確保できる領域を視線透過度の高い視線非制御部とすることで、窓前部の見通しを極めて良くすることが可能となり、防犯性能を向上させることができる。また、視線の制御を行う必要がないため、設計時や作業時のコストや負担を低減することができる。
【００１０】
また、本発明に係る目隠し装置において、視線制御部は、同一の断面形状を有する長尺な複数の縦格子部材を窓面に垂直又は略垂直な平面位置に並べることによって構成されることが好ましい。これによって、視線制御部の形成を極めて容易に行うことができる。
【００１１】
また、本発明に係る目隠し装置において、それぞれの縦格子部材は、窓面に平行であって当該縦格子部材の奥行きを規定する一対の側面部を備え、視線非制御部に近い位置に設置される第１の縦格子部材の側面部の側縁部と、当該第１の縦格子部材と隣り合うと共に視線非制御部から遠い位置に設置される第２の縦格子部材の側面部の側縁部とが互いに対向しており、第１の縦格子部材と第２の縦格子部材との間の間隔は、第１の縦格子部材の窓面側の側縁部と第２の縦格子部材の視認空間側の側縁部とを結ぶ直線が第２の仮想線に平行となる状態に設定されていることが好ましい。このような構成及び位置関係をなす第１の縦格子部材と第２の縦格子部材においては、第１の縦格子部材の窓面側の側縁部と第２の縦格子部材の視認空間側の側縁部とを結ぶ直線が、各縦格子部材の間の隙間を通過する視線のうち、最も居室の奥方まで入り込む視線、すなわち視野角の境界部分に係る視線を定めている。また、当該視野角は、各縦格子部材の間の間隔を調整することで制御することができる。ここで、当該視野角の境界部分に係る視線が第２の仮想線に平行な状態であれば、各縦格子部材の間の隙間によって制御される視野は、各縦格子部材の窓面からの距離に関わらず、必ず第１の仮想線と交差する範囲内にとどめられる。また、居室内において外部からの視認を許容する部分の中でも、より窓面に近い位置のみに当該居室への視線を抑えることができる（すなわちプライバシーを保護したい部分と視認を許容できる部分の境界である視線制御基点付近に視線が集中しないようにすることができる）。従って、各縦格子部材の間の間隔を、第１の縦格子部材の窓面側の側縁部と第２の縦格子部材の視認空間側の側縁部とを結ぶ直線が第２の仮想線に平行となる状態に設定することによって、居室内のプライバシーをより確実に保護することができる。
【００１２】
また、本発明に係る目隠し装置において、それぞれの縦格子部材は、窓面に平行であって当該縦格子部材の奥行きを規定する一対の側面部を備え、視線非制御部に近い位置に設置される第１の縦格子部材の側面部の側縁部と、当該第１の縦格子部材と隣り合うと共に視線非制御部から遠い位置に設置される第２の縦格子部材の側面部の側縁部とが互いに対向しており、第１の縦格子部材と第２の縦格子部材との間の間隔は、第１の縦格子部材の窓面側の側縁部と第２の縦格子部材の視認空間側の側縁部とを結ぶ直線が第２の仮想線に平行となる状態から、窓面から遠ざかるに従って段階的に大きくなるように設定されていることが好ましい。このような構成及び位置関係をなす第１の縦格子部材と第２の縦格子部材においては、第１の縦格子部材の窓面側の側縁部と第２の縦格子部材の視認空間側の側縁部とを結ぶ直線が、各縦格子部材の間の隙間を通過する視線のうち、最も居室の奥方まで入り込む視線、すなわち視野角の境界部分に係る視線を定めている。また、当該視野角は、各縦格子部材の間の間隔を調整することで容易に制御することができる。ここで、当該視野角の境界部分に係る視線が第２の仮想線に平行な状態であれば、各縦格子部材の間の隙間によって制御される視野は、各縦格子部材の窓面からの距離に関わらず、必ず第１の仮想線と交差する範囲内にとどめられる。一方、視線制御部を構成する縦格子部材のうち、窓面から遠い位置に配置される縦格子部材に関しては、視線制御基点からの距離も同時に遠くなるため、視野角が広くなるように設定しても、視線を第１の仮想線と交差する範囲にとどめることができる。同時に、視野角を広く設定することにより、窓前部の見通しも良くすることができ、防犯性能を向上させることもできる。従って、第１の縦格子部材と第２の縦格子部材との間の間隔を、第１の縦格子部材の窓面側の側縁部と第２の縦格子部材の視認空間側の側縁部とを結ぶ直線が第２の仮想線に平行となる状態から、窓面から遠ざかるに従って段階的に大きくなるように設定することによって、居室内のプライバシーを確実に保護すると同時に、防犯性能を向上させることができる。また、このように縦格子部材を設置することにより、視線制御部の縦格子部材の間隔は、視線非制御部から離間するに連れて大きくなることとなり、目隠し装置の外観の向上も図られることとなる。
【００１３】
また、本発明に係る目隠し装置において、各縦格子部材の幅を一定値のＡとし、縦格子部材を窓面に近い位置から第１縦格子部材ｖ１、第２縦格子部材ｖ２…、第Ｎ＋１縦格子部材ｖＮ＋１とし、縦格子部材間の間隔を、窓面に近い位置から順に第１間隔Ｓ１、第２間隔Ｓ２…、第ｎ間隔Ｓｎとして設定する場合に、以下の式（Ａ）、式（Ｂ）及び式（Ｃ）の関係を有して設定されることが好ましい。かかる式に基づいて縦格子部材を立設することにより、視線の制御を確実なものとしつつ、これら縦格子部材間の間隔の管理を容易なものとすることができ、当該目隠し装置の製造を容易に行うことができるものとなっている。
【００１４】
【数１】
0006001904.tif 000002
ただし、Δｓは定数とし、また、ｎ＝１〜Ｎ
【００１５】
また、本発明に係る目隠し装置において、視線制御部と視線非制御部は、いずれか一方、あるいは両方が開閉自在となっていることが好ましい。開閉自在とすることで、通常時は開いておくことで防犯性を確保しつつも、視認空間からの視線を完全に遮断すべき場面では閉めることができる。
【００１６】
また、本発明に係る目隠し装置は、一対の窓側枠部を備えて居室に設けられる窓面と、該窓面を視認可能な視認空間との間で、同一の断面形状を有する長尺な複数の縦格子部材を窓面に垂直又は略垂直な平面位置に並べることによって構成され、互いに隣り合う縦格子部材の間の間隔は、窓面から遠ざかるに従って、段階的に大きくなるように設定されていることを特徴とする。
【００１７】
窓面に近い領域では、視野角が大きすぎる場合、視線が居室内の奥方にまで届いてしまうため、居室内のうちプライバシー上問題とならない窓面付近の一部に視線がとどまるように視野角を制御する必要がある一方、視野角が小さくても窓前部に対する視線を十分に確保することができる。窓面から遠い領域では、視野角が小さすぎる場合、窓前部に至る視線が減少してしまう一方、窓面からの距離が遠いため視野角を大きくしても居室内への視線を窓面付近の一部にとどめることができる。従って、本発明に係る目隠し装置においては、窓面に近い領域で、縦格子部材の間の間隔を小さくすることで視野角が小さくなるよう構成し、窓面から遠い領域では、縦格子部材の間の間隔を大きくすることで視野角が大きくなるように構成している。これによって、居室内のプライバシーの確保と、室外の窓前部の見通しの確保とを、両立することができる。
【発明の効果】
【００１８】
本発明によれば、居室内のプライバシーの確保と、室外の窓前部の見通しの確保とを、両立することができる。
【図面の簡単な説明】
【００１９】
【図１】本発明の実施形態に係る目隠し装置、及び当該目隠し装置が適用される建物ＳＴの構成を示す図である。
【図２】建物の居室を拡大した図である。
【図３】本発明の実施形態に係る目隠し装置を拡大した図である。
【図４】目隠し装置の設計方法の説明のためのモデル図である。
【図５】比較例に係る目隠し装置の構成を示す図である。
【図６】比較例に係る目隠し装置の構成を示す図である。
【図７】変形例に係る目隠し装置を示す図である。
【図８】変形例に係る目隠し装置を示す図である。
【図９】変形例に係る目隠し装置を示す図である。
【図１０】変形例に係る目隠し装置を示す図である。
【図１１】変形例に係る目隠し装置を示す図である。
【図１２】変形例に係る目隠し装置を示す図である。
【発明を実施するための形態】
【００２０】
以下、図面を参照しつつ本発明に係る目隠し装置について詳細に説明する。
【００２１】
図１は、本実施形態に係る目隠し装置１、及び当該目隠し装置１が適用される建物ＳＴの構成を示す図である。図１（ａ）は、当該構成を上方から見た図であり、図１（ｂ）は、当該構成を視認空間ＶＥ側（公道側）から見た図である。図２は、建物ＳＴの居室ＩＮを拡大した図である。図３は、本実施形態に係る目隠し装置１を拡大した図である。図１に示すように、建物ＳＴは、外壁ＯＷ１，ＯＷ２を備え、内部に居室ＩＮを有している。建物ＳＴの敷地ＰＲと公道ＬＤの間には、生垣やフェンスなどの外構ＦＳが配置されている。公道ＬＤは、外壁ＯＷ１と交わる方向Ｄ１（ここでは、外壁ＯＷ１と垂直または略垂直をなす）に沿って延びている。公道ＬＤが延びる方向である方向Ｄ１は、建物ＳＴを公道ＬＤから見ることができる通行人の進行方向に該当する。外構ＦＳの生垣も方向Ｄ１に沿って延びている。居室ＩＮは、方向Ｄ１と垂直または略垂直をなす外壁ＯＷ１と、公道ＬＤ側において方向Ｄ１に沿って延びる外壁ＯＷ２と、建物ＳＴ内の内壁ＩＷと、に囲まれて構成されている。居室ＩＮには、第１の窓側枠部１０１と第２の窓側枠部１０２を備えた窓の窓面１００が設けられている。窓面１００は、外壁ＯＷ１の一部に設けられており、本実施形態では、窓にあって当該外壁の外周面に一致する面を窓面として定義する。第１の窓側枠部１０１は、公道ＬＤと反対側に位置し（すなわち、視認空間ＶＥから遠くに位置する）、第２の窓側枠部１０２は、公道ＬＤ側に位置する（すなわち、視認空間ＶＥの近くに位置する）。なお、本発明において「居室」とは、リビングや各人の個室等に加えて、トイレや洗面所等、住宅建物においてプライバシーを要する空間のことである。
【００２２】
このように窓面１００が設定された建物ＳＴに対して、公道ＬＤには窓面１００を視認可能とする視認空間ＶＥが設定される。視認空間ＶＥは、建物ＳＴ及び目隠し装置１の設計時に仮想的に設定される空間である。この視認空間ＶＥは、窓面１００の前部ＦＷに対して、公道ＬＤを通行する通行人の視線を確保するために設定される空間である。前部ＦＷは、窓面１００から侵入者が居室ＩＮへ侵入する際に、侵入作業を行う侵入者の立ち位置に該当する。視認空間ＶＥは、窓面１００との関係によって設けられる領域であり、通行人が当該窓面１００に対し通過しながら１〜２秒に亘って視線を向けることができる領域である。公道に面する窓面（例えば、図８の窓面２００）、或いは公道に近い位置にて当該公道に有角状（直角状）に設置される窓面（例えば、図１の窓面１００や図８の窓面３００）に対しては、２ｍ程度の視認空間が得られれば充分である。また、当該視認空間ＶＥの設定位置にあっては、図１に示すように公道ＬＤに対して有角状（本実施形態では直角状）に設置される窓面１００では、窓面１００の形成される平面を起点として当該窓面１００より離間する方向２ｍ（＝図１においてＬで示す部分の長さ）であって、通行人は、窓面１００を横に見ながら当該視認空間ＶＥを通過することとなる。図８に示すような窓面２００に対しては、通行人は、窓面２００に近づきながら当該視線空間ＶＥを通過することとなるので、当該窓面２００に至るまでの間の任意の位置で２ｍが確保されればよい。
【００２３】
窓面１００と視認空間ＶＥとの間には、目隠し装置１が設けられる。目隠し装置１は、窓面１００と交わる方向、ここでは窓面１００に垂直又は略垂直に延在して設けられている。目隠し装置１は、外構ＦＳにおいて視認空間ＶＥと対応する位置に設けられる。なお、目隠し装置１が設けられていない部分は、生垣や植え込みによって完全に視線が遮られる。目隠し装置１は、視認空間ＶＥからの視線のうち、窓面１００の前部ＦＷに対する視線を確保して見通しを良くする一方で、居室ＩＮ内へ向かう視線の一部を制限することによって、防犯性の向上とプライバシーの保護を同時に得る機能を有している。目隠し装置１の詳細な構成については、後述する。
【００２４】
一方、居室ＩＮには、窓面１００からセットバックした位置、すなわち窓面１００から居室ＩＮ側に離間した位置に、視認空間ＶＥから居室ＩＮ内に向けての視線を制御するための基点となる視線制御基点ＢＰが設定される。この視線制御基点ＢＰは、建物ＳＴ及び目隠し装置１の設計時に仮想的に設定される点である。例えば、視線制御基点ＢＰは、奥方の内壁ＩＷに設定する場合には窓面１００が設けられる外壁ＯＷ１の内表面から９０ｃｍ程度、当該窓面１００手前に室内洗濯物干し等を設置する場合には、当該外壁ＯＷ１の内表面から３０ｃｍ程度に設定される。その他、たんす等の家具を設置する場合には、当該家具の縁部であればよく、少なくとも窓面１００から居室ＩＮ側へ１ｍ程度セットバックした位置よりも奥方まで視線が通ることを制御できるものであれば、任意の位置に設定できる。視線制御基点ＢＰは、窓面よりもセットバックした位置であって、視認空間から見て窓面１００の第１の窓側枠部１０１よりも遠い位置、または第１の窓側枠部１０１と同位置（すなわち、公道ＬＤや外壁ＯＷ２からの垂直方向の距離が、第１の窓側枠部１０１と同じ距離となる）に設定される。このように設定された視線制御基点ＢＰによって、通行人からの視認を許容できる居室ＩＮの一部（以下、当該居室の部分を「視認許容部ＶＡ」と称して説明する）が設定される。視認許容部ＶＡとは、プライバシー上視認空間ＶＥ等の外部からの視線を遮る必要がない室内部分（日常生活ではプライバシー上重要でない部分）である。
【００２５】
図２に示すように、本実施形態では、室内洗濯物干しＨＬが通行人に見えないようにすることを想定し、窓面１００の第１の窓側枠部１０１から居室ＩＮ側へ向かって３０ｃｍ程度セットバックした位置に視線制御基点ＢＰが設定されている。あるいは、内壁ＩＷの外壁ＯＷ１側の角部付近が通行人に見えてもプライバシーに影響を与えないことを想定し、内壁ＩＷのうち、外壁ＯＷ１の内表面から９０ｃｍ程度セットバックした位置に設定した視線制御基点ＢＰ２を用いてもよい。また、家具の設置位置が予め決定できる場合などには、家具の側面が通行人に見えてもプライバシーに影響を与えないことを想定し、家具ＦＣの縁部に設定した視線制御基点ＢＰ３を用いてもよい。なお、本実施形態では、視線制御基点ＢＰは、窓面１００よりもセットバックした位置であって、窓面１００の第１の窓側枠部１０１よりも遠い位置、または第１の窓側枠部１０１と同位置に設定されているが、設計段階における設定により、第１の窓側枠部１０１よりも視線空間ＶＥに近い位置に視線制御基点ＢＰを設定してもよい。すなわち、窓面１００よりも居室ＩＮ側にセットバックした位置であって、視認空間ＶＥからの視線を制御する基点となる位置であれば、どこに視線制御基点ＢＰを設定してもよい。
【００２６】
目隠し装置１は、視線制御部１０と、視線非制御部２０とを備えている。視線制御部１０は、視認空間ＶＥから窓面１００に向けられる視線を制御し、視認空間ＶＥから窓面１００の前部ＦＷ及び居室ＩＮの一部を視認可能とする機能を有しており、視認空間ＶＥからの通行人の視野角を制御することで視線を制御する視野角制御部として機能する。視線非制御部２０は、視線制御部１０よりも視線透過度を高めて視認空間ＶＥから窓面１００の前部ＦＷ及び居室ＩＮの一部を視認可能とする機能を有しており、視認空間ＶＥからの通行人の視野角を特に制御しない視野角非制御部として機能する。目隠し装置１のうち、視線非制御部２０は窓面１００に近い位置に配置され、視線制御部１０は窓面１００から遠い位置に配置される。
【００２７】
目隠し装置１は、視線制御部１０と、視線非制御部２０とを備えている。視線制御部１０は、視認空間ＶＥから窓面１００に向けられる視線を制御し、視認空間ＶＥから窓面１００の前部ＦＷ及び居室ＩＮの一部を視認可能とする機能を有しており、視認空間ＶＥからの通行人の視野角を制御することで視線を制御する視野角制御部として機能する。視線非制御部２０は、視線制御部１０よりも視線透過度を高めて視認空間ＶＥから窓面１００の前部ＦＷ及び居室ＩＮの一部を視認可能とする機能を有しており、視認空間ＶＥからの通行人の視野角を特に制御しない視野角非制御部として機能する。目隠し装置１のうち、視線非制御部２０は窓面１００に近い位置に配置され、視線制御部１０は窓面１００から遠い位置に配置される。
【００２８】
視線制御部１０は、視認空間ＶＥから居室ＩＮ内へ向かう視線ＶＬのうち、第１の窓側枠部１０１の内縁部１０１ａと視線制御基点ＢＰとを結ぶ第１の仮想線Ｌ１であって内縁部１０１ａと視線制御基点ＢＰとの間の部分に交差する視線のみを許容する機能を有している（図２参照）。すなわち、第１の仮想線Ｌ１を通過しない視線ＶＬを制限する機能を有している。これによって、視認空間ＶＥからの全ての視線を、視認許容部ＶＡにとどめることができる。図３に示すように、具体的には、視線制御部１０は、同一の断面形状を有する長尺な複数の縦格子部材１０Ａを窓面１００に垂直又は略垂直な平面位置に並べることによって縦格子の柵として構成される。ここでは、窓面１００側から順番に、縦格子部材１０Ａ１〜１０ＡＮ＋１の合計Ｎ＋１本並べられている。
【００２９】
各縦格子部材１０Ａ１〜１０ＡＮ＋１は、断面長方形状の棒状部材であり、窓面１００に平行であって当該縦格子部材１０Ａ１〜１０ＡＮ＋１の奥行きｄを規定する一対の側面部１１，１２を備えている。側面部１１，１２は、長方形状の断面における長辺に対応する側面部である。本実施形態では、縦格子部材１０Ａ１〜１０ＡＮ＋１は、長辺（＝奥行きｄ）を２０〜９０ｍｍに設定し、短辺を５〜３０ｍｍに設定された断面長方形状とされている。また、各側面部１１，１２は、窓面１００側の側縁部１１ａ，１２ａと、視認空間側の側縁部１１ｂ，１２ｂと、を有している。視線非制御部２０に近い位置に設置される縦格子部材１０ｎ（「第１の縦格子部材」に該当）の側面部１２の側縁部１２ａ，１２ｂと、当該縦格子部材１０ｎと隣り合うと共に視線非制御部２０から遠い位置に設置される縦格子部材１０ｎ＋１（「第２の縦格子部材」に該当）の側面部１１の側縁部１１ａ，１１ｂとが互いに対向している（ｎ＝１〜Ｎ）。縦格子部材１０Ａ１〜１０ＡＮ＋１の全てについて、同様の関係が成り立つ。
【００３０】
本実施形態では、互いに隣り合う縦格子部材１０Ａｎと縦格子部材１０Ａｎ＋１の間の間隔Ｓｎによって視線ＶＬの制御がなされる。例えば、縦格子部材１０Ａ１と縦格子部材１０Ａ２の間の隙間を通過して建物ＳＴ側に到達することができる視線ＶＬの視野ＶＦ１について説明すると、視野ＶＦ１における窓面１００へ向かう視線ＶＬの視野角θ１は、縦格子部材１０Ａ２の側縁部１１ｂと縦格子部材１０Ａ１の側縁部１２ａとを結ぶ境界視線ＶＬ１の角度によって既定される。縦格子部材１０Ａ１，１０Ａ２の奥行き（＝ｄ）は等しく各側縁部１１，１２も互いに対向する構成であるため、視野角θ１は以下の式（１）より、間隔Ｓ１によって定められる。互いに隣り合う縦格子部材１０Ａｎと縦格子部材１０Ａｎ＋１の間の隙間を通過することができる視線ＶＬの視野ＶＦｎについても同様の関係が成り立ち、窓面１００側へ向かう視線ＶＬの視野角θｎは、間隔Ｓｎによって定められる。
【００３１】
ｔａｎθ１＝Ｓ１／ｄ  …（１）
【００３２】
視線制御基点ＢＰと第２の窓側枠部１０２の外縁部１０２ａとを結ぶことによって、第２の仮想線Ｌ２が設定される（図２参照）。視線制御部１０のうち、最も窓面１００側で視線ＶＬを制御する縦格子部材１０Ａ１と縦格子部材１０Ａ２は、上述のように視野角θ１を有しており、当該視野角θ１をなす境界視線ＶＬ１は、第２の仮想線Ｌ２と平行となる（ここでは、境界視線ＶＬ１と第２の仮想線Ｌ２が一致する）。これにより、縦格子部材１０Ａ１と縦格子部材１０Ａ２は、視線制御基点ＢＰと第１の窓側枠部１０１の内縁部１０１ａ第１の仮想線Ｌ１に交差する視線ＶＬ（視野ＶＦ１の範囲内の視線ＶＬ）のみを許容し、第１の仮想線Ｌ１を通過しない視線ＶＬを縦格子部材１０Ａ１又は縦格子部材１０Ａ２で遮ることによって、制限することができる。なお、視野ＶＦ１のなす角度を第２の仮想線Ｌ２がなす角度よりも小さくしてもよい（視野ＶＦ１の窓面１００側の視野角θ１を狭くする）が、前部ＦＷの見通しをよくするために、大きく視野角θ１を確保することが好ましい。
【００３３】
互いに隣り合う縦格子部材１０Ａｎと縦格子部材１０Ａｎ＋１の間の間隔Ｓｎは、窓面１００から遠ざかるに従って（すなわちｎの値が大きくなるに従って）、段階的に大きくなるように設定されている。これによって、窓面１００から遠ざかるに従って、隙間が徐々に大きくなってゆくグラデーションが形成される。具体的には、互いに隣り合う縦格子部材１０Ａｎと縦格子部材１０Ａｎ＋１の間の間隔Ｓｎは、縦格子部材１０Ａｎの窓面１００側の側縁部１２ａと縦格子部材１０Ａｎ＋１の視認空間ＶＥ側の側縁部１１ｂとを結ぶ境界視線ＶＬｎが第２の仮想線Ｌ２に平行となる状態（ここでは、境界視線ＶＬ１が当該状態に該当している）から、窓面１００から遠ざかるに従って段階的に大きくなるように設定されている。窓面１００側の境界視線ＶＬｎが視線制御基点ＢＰを通過する状態であれば、縦格子部材１０Ａｎと縦格子部材１０Ａｎ＋１の間の隙間を通過する視線ＶＬは全て第１の仮想線Ｌ１と交差するため、当該状態における視野角θｎが最大視野角である。間隔Ｓｎは、視野角θｎが最大視野角を超えない範囲でどのように設定してもよいが、前部ＦＷの見通しをよくするために、大きく視野角θｎを確保することが好ましい。
【００３４】
本実施例の如き視認空間ＶＥと窓面１００の平面視における位置関係にあっては、互いに隣り合う縦格子部材１０Ａｎと縦格子部材１０Ａｎ＋１の間の間隔Ｓｎは、例えば、３０ｍｍ〜９０ｍｍの範囲で設定され、これら連続する縦格子部材１０Ａｎと縦格子部材１０Ａｎ＋１によって構成される視線制御部１０の視線透過率は５０〜７５％に設定される。当該範囲内で、窓面１００（又は視線非制御部２０）から遠ざかるに従って、隙間が徐々に大きくなってゆくグラデーション状の縦格子が構成される。
【００３５】
視線非制御部２０から離間して延在させる視線制御部１０の端部（すなわち窓面１００から遠い方の端部）を更に延ばしてもよいが、第１の仮想線Ｌ１を外へ向かって延ばした直線と交差する位置を限度とすることが好ましい。当該直線を超えて視線制御部１０を設けたとしても、当該領域からの視線は、第１の仮想線Ｌ１と交差することができず、窓面１００の前部ＦＷへ向けようと制御した視線は、全て居室ＩＮの奥方へ及んでしまうためである。なお、図１に示す実施形態では、第１の仮想線Ｌ１と目隠し装置１が平行になっているため、そのような領域は生じない。
【００３６】
視線非制御部２０は、視線制御部１０のように視線の制御を行うことなく（視野角を制御するための設計を行っていない）、視線制御部１０よりも視線透過度を高めることによって、公道ＬＤから窓前１００の前部ＦＷへの見通しを確保している。第２の仮想線Ｌ２よりも窓面１００側の領域においては、特に視野角を制御しなくとも、窓面１００の第２の窓側枠部１０２で遮られることで、全ての視線が第１の仮想線Ｌ１を通過し、プライバシーが確保される。従って、視線非制御部２０は、少なくとも第２の仮想線Ｌ２よりも窓面１００側に配置され、視線制御部１０が、当該視線非制御部２０に対して、窓面１００の反対側に配置される。本実施形態では、第２の仮想線Ｌ２が、視線非制御部２０と視線制御部１０の境界部を構成している。視線制御部１０が第２の仮想線Ｌ２よりも窓面１００側まで延びていてもよいが、部材のコストや作業容易性の観点から、視線非制御部２０の範囲を大きく確保することが好ましい。
【００３７】
視線非制御部２０は、同一の断面形状を有する長尺な複数の縦格子部材２０Ａを窓面１００に垂直又は略垂直な平面位置に並べることによって縦格子の柵として構成される。縦格子部材２０Ａは、視線制御部１０の縦格子部材１０Ａよりも奥行きが小さく、部材間の間隔も広く、一定に配置される。これによって、視線非制御部２０の縦格子構造は、視線制御部１０の縦格子構造に比して視線透過率が高く設定される。なお、視線非制御部２０は、公道ＬＤからの物理的な侵入を妨げることができるものであれば、縦格子構造に限定されず、あらゆる構造を採用することができるが、視線制御部１０との意匠の観点より、縦格子構造とすることが好ましい。視線非制御部２０の視線透過率は、５０〜１００％に設定することが好ましい。
【００３８】
視線制御部１０と視線非制御部２０は、いずれか一方、あるいは両方が開閉自在に構成されていることが好ましい。例えば、視線制御部１０（視線非制御部２０）を構成する各格子が一体となってそれぞれ扉状（又は引き戸状）に開閉自在な構成としてもよい。あるいは、縦格子構造の隙間を別部材で覆うことで開閉自在としてもよい。開閉自在とすることで、通常時は開いておくことで防犯性を確保しつつも、視認空間からの視線を完全に遮断すべき場面では閉めることができる。
【００３９】
次に、図４を参照して、目隠し装置１の視線制御部１０及び視線非制御部２０の設計方法の一例について説明する。図４は、設計方法を説明するためにモデル化されたものであるため、各要素同士の寸法関係や視線の角度の関係などは、実際の目隠し装置１とは異なる。また、図４では、説明のために、図１の例とは異なり、視線制御基点ＢＰが第１の窓側枠部１０１よりも公道ＬＤから遠い位置に設定されている。図４において、窓面１００と垂直な方向における寸法のうち、Ｘ１は視線制御基点ＢＰと第２の窓側枠部１０２の外縁部１０２ａとの間の距離を示し、Ｘ２は第２の窓側枠部１０２の外縁部１０２ａと基準位置（視線非制御部２０と視線制御部１０との間の境界部分に任意に設定できる）との間の距離を示し、ｇｎは基準位置から縦格子部材１０Ａｎの側面部１２までの距離である。窓面１００と平行な方向における寸法のうち、Ｙ１は視線制御基点ＢＰと第１の窓側枠部１０１との間の距離を示し、Ｙ２は窓面１００の大きさを示し、Ｙ３は第２の窓側枠部１０２から目隠し装置１までの距離（ここでは、視線制御部１０の縦格子部材１０Ａｎの窓面１００側の端面までの距離）である。なお、本実施形態に係る計算例では、縦格子部材１０Ａ１の側面部１２を、視線非制御部２０と視線制御部１０との間の境界部分の基準位置に設定している。この場合、ｇ１＝０となる。また、視線非制御部２０の大きさ（第２の窓側枠部１０２の外縁部１０２ａと、視線制御部１０の視線非制御部２０側の端部との間の距離）は、Ｘ２から縦格子部材１０Ａ１の厚さ（窓面１００と垂直な方向における大きさ）を引くことによって求めることができる。ただし、基準位置は、視線非制御部２０と視線制御部１０との間の境界付近であれば、どこに設定してもよく、設定した位置に応じて以下で説明する式を適宜変更すればよい。
【００４０】
まず、居室ＩＮに視線制御基点ＢＰを設定することによって、Ｘ１及びＹ１を定める。次に、視線制御基点ＢＰと第２の窓側枠部１０２の外縁部１０２ａとを結ぶ第２の仮想線Ｌ２を設定する。ここで、角度θ１を有する直角三角形に基づく相似形の関係から式（２）が導き出され、当該式（２）を変形して式（３）とすることにより、視線非制御部２０の大きさであるＸ２が算出される。
【００４１】
Ｘ１／（Ｙ１＋Ｙ２）＝Ｘ２／Ｙ３  …（２）
Ｘ２＝Ｘ１・Ｙ３／（Ｙ１＋Ｙ２）  …（３）
【００４２】
次に、縦格子部材１０Ａ１と縦格子部材１０Ａ２の間の間隔Ｓ１を導き出す。ここでは、視野角θ１をなす境界視線ＶＬ１が第２の仮想線Ｌ２と平行となるように（一致するように）する。直角三角形に基づく相似形の関係から式（４）が導き出され、当該式（４）を変形して式（５）とすることにより、間隔Ｓ１が算出される。
【００４３】
（Ｘ１＋Ｘ２）／（Ｙ１＋Ｙ２＋Ｙ３）＝Ｓ１／ｄ  …（４）
Ｓ１＝（Ｘ１＋Ｘ２）・ｄ／（Ｙ１＋Ｙ２＋Ｙ３）  …（５）
【００４４】
次に、縦格子部材１０Ａ２と縦格子部材１０Ａ３の間の間隔Ｓ２、縦格子部材１０Ａ３と縦格子部材１０Ａ４の間の間隔Ｓ３、と順次計算してゆく。ここでは、縦格子部材１０Ａｎと縦格子部材１０Ａｎ＋１の間の間隔Ｓｎを計算する場合、視野角θｎをなす境界視線ＶＬｎが視線制御基点ＢＰを通過するように計算する。直角三角形に基づく相似形の関係から式（６）が導き出され、当該式（６）を変形して式（７）とすることにより、間隔Ｓｎが算出される。式（７）を用いてｎ＝２〜Ｎまで計算を行うことで、視線制御部１０におけるグラデーション状の縦格子を構築する。
【００４５】
（Ｘ１＋Ｘ２＋ｇｎ）／（Ｙ１＋Ｙ２＋Ｙ３）＝Ｓｎ／ｄ  …（６）
Ｓｎ＝（Ｘ１＋Ｘ２＋ｇｎ）・ｄ／（Ｙ１＋Ｙ２＋Ｙ３）  …（７）
【００４６】
次に、本実施形態に係る目隠し装置１の作用・効果について説明する。
【００４７】
まず、目隠し装置１との比較のため、図５及び図６を参照して、比較例に係る目隠し装置５０，６０について説明する。図５は比較例に係る目隠し装置５０の構成を示し、図６は比較例に係る目隠し装置６０の構成を示している。図５に示すように、目隠し装置５０は、視認空間ＶＥが広く設定されている。目隠し装置５０を構成する縦格子部材は、視線制御部１０のように視野角の制御はおこなわれておらず、視線非制御部２０と同様に視線透過率の高いものが採用されている。このような目隠し装置５０にあっては、居室ＩＮ内へ向かう多くの視線が、視線制御基点ＢＰよりも更に奥方へ入り込んでいる。図６に示すように、目隠し装置６０は、目隠し装置１と同じく視認空間ＶＥが一定範囲（Ｌ＝２ｍ程度）に設定されている。目隠し装置６０を構成する縦格子部材は、視線制御部１０のように視野角の制御はおこなわれておらず、視線非制御部２０と同様に視線透過率の高いものが採用されている。このような目隠し装置６０にあっては、目隠し装置５０に比して減少はしているもの、居室ＩＮ内へ向かう一部の視線が、視線制御基点ＢＰよりも更に奥方へ入り込んでいる。以上より、比較例に係る構成では、窓面１００の前に対する視線は十分に確保できるものの、居室ＩＮ内においてプライバシーを確保すべき部分にまで視線が入り込む構成となっている。
【００４８】
一方、本実施形態に係る目隠し装置１には、視認空間ＶＥから窓面１００に向けられる視線ＶＬを制御し、視認空間ＶＥから窓面１００の前部ＦＷ及び居室ＩＮの一部を視認可能とする視線制御部１０が設けられている。また、この視線制御部１０は、視認空間ＶＥから居室ＩＮ内へ向かう視線ＶＬのうち、第１の窓側枠部１０１の内縁部１０１ａと視線制御基点ＢＰとを結ぶ第１の仮想線Ｌ１に交差する視線ＶＬのみを許容するように構成されている。このような構成により、視認空間ＶＥを通過する通行人は、当該視線制御部１０を介して、窓面１００の前部ＦＷを視認することができると共に、居室ＩＮのうち、窓面付近に設定される第１の仮想線Ｌ１と視線が交差する範囲内である視認許容部ＶＡのみを視認することができる。すなわち、当該第１の仮想線Ｌ１と交差せずに居室ＩＮの奥方へ向かう視線ＶＬを規制することができる。設計時において、居室ＩＮ内におけるプライバシーを考慮して視線制御基点ＢＰを設定することによって、視線制御部１０は、視認空間ＶＥからの視線ＶＬを居室ＩＮ内におけるプライバシーを重視しない部分である視認許容部ＶＡのみにとどめることができる。居室ＩＮの住人は、当該視認空間ＶＥからの視線ＶＬを窓面１００の全部に得ることができ、さらには、当該視認空間ＶＥからの視線ＶＬをプライバシーを重要視しない視認許容部ＶＡまでにとどめることができるものとなっている。以上によって、居室ＩＮ内のプライバシーの確保と、室外の前部ＦＷの見通しの確保とを、両立することができる。
【００４９】
また、視線制御部１０よりも視線透過度を高めて視認空間ＶＥから窓面１００の前部ＦＷ及び居室ＩＮの一部を視認可能とする視線非制御部２０が設けられている。視線非制御部２０は、第２の窓側枠部１０２の外縁部１０２ａと視線制御基点ＢＰとを結ぶ第２の仮想線Ｌ２よりも窓面１００側に配置され、視線制御部１０は、視線非制御部２０に対して、窓面１００の反対側に配置される。すなわち、窓面１００に近い位置に視線非制御部２０が設けられ、窓面１００から遠い位置に視線制御部１０が設けられている。比較的窓面１００から遠い位置においては、当該窓面１００に向かう視線ＶＬと窓面１００との角度が大きなものとなり、その分、視認空間ＶＥから居室ＩＮの奥方に向けての視線ＶＬを通しやすい位置関係となっている。当該領域を視線制御部１０とすることにより、当該視線制御基点ＢＰから奥方への視線を制御し、これによって、当該窓面１００から遠い位置であっても、居室ＩＮの住人は、当該視認空間ＶＥからの視線を窓面１００の前部ＦＷに得ることができ、更には、当該視認空間ＶＥからの視線ＶＬを、居室ＩＮ内のうちプライバシーを重要視しない視認許容部ＶＡにとどめることができる。一方、窓面１００に近い位置、具体的には、視線制御基点ＢＰと第２の窓側枠部１０２の外縁部１０２ａとを結ぶ第２の仮想線Ｌ２よりも窓面１００側の領域からの視線ＶＬは、特に視線の制御を行わなくとも視線制御基点ＢＰよりも奥方へ視線が通過することがなく（すなわち、プライバシー上問題となりうる視線が全て第２の窓側枠部１０２に遮られるため、第１の仮想線Ｌ１と交差する視線ＶＬのみが居室ＩＮ内へ入ることができる）、結果的に居室ＩＮ内のうちのプライバシーを重要視しない視認許容部ＶＡにとどまる。このように、視線制御を行うまでもなくプライバシーを確保できる領域を視線透過度の高い視線非制御部２０とすることで、前部ＦＷの見通しを極めて良くすることが可能となり、防犯性能を向上させることができる。また、視線ＶＬの制御を行う必要がないため、設計時や作業時のコストや負担を低減することができる。
【００５０】
また、視線制御部１０は、同一の断面形状を有する長尺な複数の縦格子部材１０Ａ１〜１０ＡＮ＋１を窓面に垂直又は略垂直な平面位置に並べることによって構成される。これによって、視線制御部１０の形成を極めて容易に行うことができる。
【００５１】
また、縦格子部材１０Ａｎと縦格子部材１０Ａｎ＋１との間の間隔は、縦格子部材１０Ａｎの窓面１００側の側縁部１２ａと縦格子部材１０Ａｎ＋１の視認空間ＶＥ側の側縁部１１ｂとを結ぶ境界視線ＶＬｎが第２の仮想線Ｌ２に平行となる状態から、窓面１００から遠ざかるに従って段階的に大きくなるように設定されている。ここで、当該視野角θｎの境界部分に係る境界視線ＶＬｎが第２の仮想線Ｌ２に平行な状態であれば、間隔Ｓｎによって制御される視野ＶＦｎは、各縦格子部材１０Ａｎ，１０Ａｎ＋１の窓面１００からの距離に関わらず、必ず第１の仮想線Ｌ１と交差する範囲内にとどめられる（後述の図６で説明される変形例に係る目隠し装置７０を参照）。一方、視線制御部１０を構成する縦格子部材１０Ａ１〜１０ＡＮ＋１のうち、窓面１００から遠い位置に配置される縦格子部材１０Ａｎ，１０Ａｎ＋１に関しては、視線制御基点ＢＰからの距離も同時に遠くなるため、視野角θｎが広くなるように設定しても、第１の仮想線Ｌ１と交差する範囲に視線をとどめることができる。同時に、視野角θｎを広く設定することにより、前部ＦＷの見通しも良くすることができ、防犯性能を向上させることもできる。従って、境界視線ＶＬｎが第２の仮想線Ｌ２に平行となる状態から、窓面１００から遠ざかるに従って段階的に大きくなるように間隔Ｓｎを設定することによって、居室IN内のプライバシーを確実に保護すると同時に、防犯性能を向上させることができる。また、このように縦格子部材１０Ａ１〜１０ＡＮ＋１を設置することにより、視線制御部１０の間隔Ｓｎは、視線非制御部２０から離間するに連れて大きくなることとなり、目隠し装置１の外観の向上も図られることとなる。
【００５２】
目隠し装置１において、互いに隣り合う縦格子部材１０Ａｎ，１０Ａｎ＋１の間の間隔Ｓｎは、窓面１００から遠ざかるに従って、段階的に大きくなるように設定されている。窓面１００に近い領域では、視野角θｎが大きすぎる場合、視線ＶＬが居室ＩＮ内の奥方にまで届いてしまうため、居室ＩＮ内のうちプライバシー上問題とならない窓面１００付近の一部に視線がとどまるように、視野角θｎを制御する必要がある一方、視野角θｎが小さくても前部ＦＷに対する視線ＶＬを十分に確保することができる。窓面１００から遠い領域では、視野角θｎが小さすぎる場合、前部ＦＷに至る視線が減少してしまう一方、窓面１００からの距離が遠いため、視野角θｎを大きくしても居室ＩＮ内への視線ＶＬを窓面付近の一部に視線をとどめることができる。従って、目隠し装置１においては、窓面１００に近い領域で、縦格子部材１０Ａｎ，１０Ａｎ＋１の間の間隔Ｓｎを小さくすることで視野角θｎが小さくなるよう構成し、窓面１００から遠い領域では、縦格子部材１０Ａｎ，１０Ａｎ＋１の間の間隔Ｓｎを大きくすることで視野角θｎが大きくなるように構成している。これによって、居室内のプライバシーの確保と、室外の窓前部の見通しの確保とを、両立することができる。
【００５３】
本発明は、上述の実施形態に限定されるものではない。例えば、上述の実施形態では、視線制御部１０がグラデーション状の縦格子構造を構成していたが、一定間隔の縦格子構造であってもよい。例えば、図７に示す目隠し装置７０のように、視線制御部３０を構成する各縦格子部材を同じピッチで配置してもよい。目隠し装置７０では、境界視線ＶＬ１が第２の仮想線Ｌ２と平行（ここでは、一致）となるように設定されており、各縦格子部材が同ピッチで配置されることにより、境界視線ＶＬ２〜ＶＬＮの全てが第２の仮想線Ｌ２と平行となるように設定されている。
【００５４】
ここで、視野角θｎの境界部分に係る境界視線ＶＬ１〜ＶＬＮが第２の仮想線Ｌ２に平行な状態であれば、図７に示すように、各縦格子部材の間の隙間によって制御される視野は、各縦格子部材の窓面からの距離に関わらず、必ず第１の仮想線Ｌ１と交差する範囲内にとどめられる。また、居室ＩＮ内において外部からの視認を許容する部分の中でも、より窓面に近い位置のみに当該居室ＩＮへの視線を抑えることができる（すなわちプライバシーを保護したい部分と視認を許容できる部分の視認許容部ＶＡの境界である視線制御基点ＢＰ付近に視線が集中しないようにすることができる）。従って、各縦格子部材の間の間隔を、境界視線ＶＬ１〜ＶＬＮが第２の仮想線に平行となる状態に設定することによって、居室ＩＮ内のプライバシーをより確実に保護することができる。かかる構成にあっては、公道から窓面前方への視線量は本実施形態よりもやや減少するものの、その分、当該居室のプライバシーは向上するものとなる。
【００５５】
また、建物や外構の一例として図１に示すようなものを例として挙げたが、本発明に係る目隠し装置を、あらゆる構造のものに適用することができる。図８に示す例では、公道ＬＤに面する窓面２００に対して目隠し装置８０，９０が適用されている。また、公道ＬＤと垂直な窓面３００に対して、上述の実施形態と同様な構成を有する目隠し装置１が適用されている。窓面２００に対して、公道ＬＤの通行人の進行方向である方向Ｄ１に沿って、視認空間ＶＥ（Ｌ＝２ｍ程度）が設定され、視認空間ＶＥと窓面２００との間に、窓面２００と垂直に延びる目隠し装置８０が設けられている。目隠し装置８０は窓面２００と極めて近い位置に配置されている。このような配置の場合、視線非制御部とすることのできる領域が小さくなる（あるいは無くなる）ため、目隠し装置８０の全てを視線制御部として構成してもよい。なお、目隠し装置９０については、視線非制御部に対応する部分は敷地内の通路になっており、何も設けられていない。
【００５６】
また、上述の実施形態では、各縦格子部材同士の間の間隔を一つずつ大きくしていくことによってグラデーションを構成していたが、グラデーションの構成方法は特に限定されない。すなわち、請求項における「段階的に大きくなる」という語は、実施形態の如く縦格子部材の１本１本の間隔毎に大きくなることを含むことは勿論、複数本の縦格子部材を一組とし、当該組同士の間隔を段階的に大きくすることも当然に含む。例えば、所定本数の縦格子部材について同じピッチとした状態でグラデーションを構成してもよい。具体的には、間隔Ｓ１〜Ｓ５まで同じピッチとし、間隔Ｓ６から当該ピッチよりも大きくすると共に間隔Ｓ６〜Ｓ１０まで同じピッチとし、このようなパターンを繰り返してもよい。これによって、設計の負担や設置時の作業負担を低減することができる。
【００５７】
また、上述の実施形態では、製造時のコストや負担を軽減するために視線制御部を構成する縦格子部材を全て同一断面とし、設計の負担や設置時の作業負担を低減するために、間隔Ｓｎを調整するのみで視線制御（視野角の調整）が可能な構成としていた。ただし、視線制御の方法は特に限定されず、縦格子部材として断面の大きさが異なる部材を用いることによる視線制御方法、縦格子の取付角度をずらすことによる視線制御方法など、あらゆる方法を採用してもよい。
【００５８】
また、本発明に係る目隠し装置１において、各縦格子部材の幅を一定値のＡとし、縦格子部材を窓面１００に近い位置から第１縦格子部材ｖ１、第２縦格子部材ｖ２…、第Ｎ＋１縦格子部材ｖＮ＋１とし、縦格子部材間の間隔を、窓面に近い位置から順に第１間隔Ｓ１、第２間隔Ｓ２…、第ｎ間隔Ｓｎとして設定する場合に、以下の式（Ａ）、式（Ｂ）及び式（Ｃ）の関係を有して設定されてもよい。なお、各縦格子部材の幅を、図４に示すように窓面１００に近い位置からＡ１、Ａ２…、Ａｎ、Ａｎ＋１と表した場合、各縦格子部材の幅は一定値Ａに設定されているため、Ａ１〜Ａｎ＋１＝Ａとなる。かかる式に基づいて縦格子部材を立設することにより、視線の制御を確実なものとしつつ、これら縦格子部材間の間隔の管理を容易なものとすることができ、当該目隠し装置１の製造を容易に行うことができるものとなっている。
【００５９】
【数２】
0006001904.tif 000003
ただし、Δｓは定数とし、また、ｎ＝１〜Ｎ
【００６０】
式（Ａ）は、隣り合う縦格子部材Ｖｎ＋２と縦格子部材Ｖｎ＋１との間の間隔Ｓｎ＋１は、縦格子部材Ｖｎ＋１と縦格子部材Ｖｎとの間の間隔Ｓｎよりも一定の増加量Δｓ分だけ増加することを示している。すなわち、隣り合う縦格子部材同士の間隔Ｓｎは、窓面１００から遠ざかるに従って、Δｓだけ大きくなっていくことを示している。なお、当該増加量Δｓは一定値であり、製作を容易なものとするとの観点に鑑みると、Ｎｍｍといった整数値が好ましい。
【００６１】
また、式（Ｂ）は、縦格子部材間の間隔の拡がりの割合が１割以下となることを示している。すなわち、式（Ａ）〜（Ｃ）を満たす実施形態においては、隣り合う縦格子部材同士の間隔の拡がりの割合が１割以下となり、且つ、当該割合は、窓面１００から遠ざかるに連れて小さくなる（窓面１００から遠ざかるに連れてＳｎは大きくなるため、拡がりの割合Δｓ／Ｓｎは小さくなってゆく）。このように、縦格子部材間の間隔の拡がりの割合を１割以下に設定しておくことで、当該縦格子部材に公道と敷地を隔てる外構としての機能を維持し、且つ、窓面に対する視線は公道を歩く人の窓面１００に対する視線を確保しつつ、当該窓面１００よりも居室側となる奥方への視線を遮断するという視線制御が良好に実現されるものとなるのである。
【００６２】
式（Ｃ）は、視線制御部１０が、視線透過率２５％〜７５％の範囲で、窓面１００から離間するに連れて縦格子部材間の間隔が拡がっていくことを示している。ｎ＝１の視線透過率が２５％より大きく、ｎ＝Ｎの視線透過率が７５％より小さいことを示している。また、当該グラデーションの範囲は、５０〜７０％が好ましく、５０％〜６０％で段階的に変化することがより好ましい。なお、窓面１００から遠ざかるに連れて、縦格子部材間の間隔が拡がっていくものとなるので、公道からの敷地に対する視線透過率は徐々にではあるが大きくなっていく。これにより、窓面１００から離れた位置に対する公道からの視線も確保でき、敷地全体に対する自然監視性を高めることも可能となる。
【００６３】
目隠し装置１の視線制御部１０は、窓面１００に近いほど縦格子部材同士の拡がりを大きくすることが好ましい。例えば、図９〜図１２に示すように、窓面１００付近の基準位置ＳＴと目隠し装置１との間の距離をＹ３として、０ｍｍ＜Ｙ３＜１０００ｍｍでは、Δｓ＝２ｍｍとし、１０００ｍｍ＜Ｙ３では、Δｓ＝１ｍｍとすることができる。なお、上記境界条件は厳密なものではなく、例えば１０００ｍｍ≒Ｙ３では、Δｓ＝２ｍｍとしてもΔｓ＝１ｍｍとしても同様の効果を奏するものとなる。
【００６４】
図９〜図１１は、窓面１００が通行人の進行方向Ｄ１と直交する側面窓用グラデートスクリーンに係る目隠し装置１を示している。図９に示す例では、目隠し装置１が窓面１００付近の基準位置ＳＴと同位置（Ｙ３＝９０ｍｍ）に配置されている。図９の目隠し装置１は、窓面１００側に視線制御部１０を有し、当該視線制御部１０よりも窓面１００から離間する位置に視線非制御部２０を有する。視線非制御部２０は、縦格子部材一本の幅が３０ｍｍであると共に奥行きｄが８５ｍｍであって、全体が８００ｍｍの幅を有しており、縦格子部材同士の間隔が６０ｍｍで等ピッチである。視線制御部１０は、縦格子部材一本の幅が３０ｍｍであると共に奥行きｄが８５ｍｍであって、全体が１２００の幅を有しており、当該視線制御部１０のグラデーションは、隣り合う縦格子部材同士の間隔が、６０ｍｍピッチから２ｍｍずつ増加し９０ｍｍピッチまで増えている。より詳細には、Ａ＝３０ｍｍ、Δｓ＝２ｍｍ、Ｓ１＝６０ｍｍ、ＳＮ＝９０ｍｍ、視線透過率＝５０〜６７％となっている。これは、上述の式（Ａ）、式（Ｂ）及び式（Ｃ）を満たしている。
【００６５】
図１０に示す例では、目隠し装置１がＹ３＝１０００ｍｍの位置に配置されている。図１０の目隠し装置１は、窓面１００側に視線非制御部２０Ａを有し、当該視線非制御部２０Ａよりも窓面１００から離間する位置に視線制御部１０を有する。また、当該視線制御部１０よりも更に窓面１００から離間する位置に視線非制御部２０Ｂを有する。視線非制御部２０Ａは、縦格子部材一本の幅が３０ｍｍであると共に奥行きｄが８５ｍｍであって、全体が２４０ｍｍの幅を有しており、縦格子部材同士の間隔が１２０ｍｍで等ピッチである。視線非制御部２０Ｂは、縦格子部材一本の幅が３０ｍｍであると共に奥行きｄが８５ｍｍであって、全体が６３０ｍｍの幅を有しており、縦格子部材同士の間隔が６０ｍｍで等ピッチである。視線制御部１０は、縦格子部材一本の幅が３０ｍｍであると共に奥行きｄが８５ｍｍであって、全体が１０８０ｍｍの幅を有しており、当該視線制御部１０のグラデーションは、隣り合う縦格子部材同士の間隔が、６０ｍｍピッチから１ｍｍずつ増加し７５ｍｍピッチまで増えている。より詳細には、Ａ＝３０ｍｍ、Δｓ＝１ｍｍ、Ｓ１＝６０ｍｍ、ＳＮ＝７５ｍｍ、視線透過率＝５０〜６０％となっている。これは、上述の式（Ａ）、式（Ｂ）及び式（Ｃ）を満たしている。
【００６６】
図１１に示す例では、目隠し装置１がＹ３＝２０００ｍｍの位置に配置されている。図１１の目隠し装置１は、窓面１００側に視線非制御部２０Ａを有し、当該視線非制御部２０Ａよりも窓面１００から離間する位置に視線制御部１０を有する。また、当該視線制御部１０よりも更に窓面１００から離間する位置に視線非制御部２０Ｂを有する。視線非制御部２０Ａは、縦格子部材一本の幅が３０ｍｍであると共に奥行きｄが８５ｍｍであって、全体が１２０ｍｍの幅を有しており、縦格子部材同士の間隔が１２０ｍｍで等ピッチである。視線非制御部２０Ｂは、縦格子部材一本の幅が３０ｍｍであると共に奥行きｄが８５ｍｍであって、全体が２７０ｍｍの幅を有しており、縦格子部材同士の間隔が６０ｍｍで等ピッチである。視線制御部１０は、縦格子部材一本の幅が３０ｍｍであると共に奥行きｄが８５ｍｍであって、全体が１０８０ｍｍの幅を有しており、当該視線制御部１０のグラデーションは、隣り合う縦格子部材同士の間隔が、６０ｍｍピッチから１ｍｍずつ増加し７５ｍｍピッチまで増えている。より詳細には、Ａ＝３０ｍｍ、Δｓ＝１ｍｍ、Ｓ１＝６０ｍｍ、ＳＮ＝７５ｍｍ、視線透過率＝５０〜６０％となっている。これは、上述の式（Ａ）、式（Ｂ）及び式（Ｃ）を満たしている。
【００６７】
また、図１２は、窓面１００が通行人の進行方向Ｄ１と平行になる正面窓用グラデートスクリーンに係る目隠し装置１を示している。図１２に示す例では、目隠し装置１が窓面１００の縁付近から外側へ向かって垂直に延びている。図１２の目隠し装置１は、視線制御部１０のみで構成されている。視線制御部１０は、縦格子部材一本の幅が３０ｍｍであると共に奥行きｄが８５ｍｍであって、全体が７２０ｍｍの幅を有しており、当該視線制御部１０のグラデーションは、隣り合う縦格子部材同士の間隔が、６０ｍｍピッチから２ｍｍずつ増加し７８ｍｍピッチまで増えている。より詳細には、Ａ＝３０ｍｍ、Δｓ＝２ｍｍ、Ｓ１＝６０ｍｍ、ＳＮ＝７８ｍｍ、視線透過率＝５０〜６１％となっている。これは、上述の式（Ａ）、式（Ｂ）及び式（Ｃ）を満たしている。
【００６８】
なお、上述の寸法関係は一例に過ぎず、適宜変更してよい。例えば、目隠し装置１の視線制御部１０は、０ｍｍ＜Ｙ３≦１０００ｍｍではΔｓ＝２ｍｍとし、１０００ｍｍ＜Ｙ３ではΔｓ＝１ｍｍとする等、窓面１００からの距離とΔｓの間隔は、条件が許す範囲内で適宜変更可能である。
【符号の説明】
【００６９】
１…目隠し装置、１０…視線制御部、１０Ａ１〜１０ＡＮ＋１…縦格子部材、１１…側面部、１１ａ，１１ｂ…側縁部、１２…側面部、１２ａ，１２ｂ…側縁部、２０…視線非制御部、１００…窓面、１０１…第１の窓側枠部、１０１ａ…外縁部、１０２…第２の窓側枠部、１０２ａ…内縁部、Ｌ１…第１の仮想線、Ｌ２…第２の仮想線、ＢＰ…視線制御基点、ＶＥ…視認空間。
【図１】
0006001904.tif 000005
【図２】
0006001904.tif 000006
【図３】
0006001904.tif 000007
【図４】
0006001904.tif 000008
【図５】
0006001904.tif 000009
【図６】
0006001904.tif 000010
【図７】
0006001904.tif 000011
【図８】
0006001904.tif 000012
【図９】
0006001904.tif 000013
【図１０】
0006001904.tif 000014
【図１１】
0006001904.tif 000015
【図１２】
0006001904.tif 000016